(57)【要約】少なくとも２つの内部が空洞の第１及び第２パイプと、開閉自在に前記第１パイプの端部に位置決めされた第１リングと、開閉自在に前記第１パイプと前記第２パイプとの間に位置決めされた第２リングと、開閉自在に前記第２パイプの端部に位置決めされた第３リングと、さらに、前記第１及び第２パイプならびに前記第１〜第３リングを貫通し、前記第１及び第３リングが前記第１及び第２パイプから分離しないように前記第１及び第３リングを保持する支持棒と、を含むリングバインダーであって、前記第１、第２及び第３静止ハーフリングの端部が前記第１、第２及び第３回転ハーフリングの端部と組み合い、かつ分離する（開閉する）ことを特徴とするリングバインダー。【選択図】図５
2009517244.tif 000002
【特許請求の範囲】
【請求項１】
リングバインダーであって、
少なくとも２つの内部が空洞の第１及び第２パイプと、
開閉自在に前記第１パイプの端部に位置決めされた第１リングと、
開閉自在に前記第１パイプと前記第２パイプとの間に位置決めされた第２リングと、
開閉自在に前記第２パイプの端部に位置決めされた第３リングと、さらに、
前記第１及び第２パイプならびに前記第１〜第３リングを貫通し、前記第１及び第３リングが前記第１及び第２パイプから分離しないように前記第１及び第３リングを保持する支持棒と、を含み、
前記第１、第２及び第３リングが、前記第１及び第２パイプのうちの少なくとも１つにそれぞれ固定された第１、第２及び第３静止ハーフリングと、前記第１及び第２パイプのうちの少なくとも１つの周りにそれぞれ回転可能な第１、第２及び第３回転ハーフリングと、を含み、かつ、前記第１、第２及び第３静止ハーフリングの端部が前記第１、第２及び第３回転ハーフリングの端部と組み合い、かつ分離する（開閉する）ことを特徴とするリングバインダー。
【請求項２】
請求項１のリングバインダーであって、第１リングが、前記第１パイプの左端に溶接固定された第１固定部分を一端に有する前記第１静止ハーフリングと、前記第１固定部分と密着して回転する第１回転部分を一端に有する前記第１回転ハーフリングとを含み、
第２リングが、前記第１及び第２パイプのそれぞれの端部に溶接固定された第２固定部分を一端に有する前記第２静止ハーフリングと、前記第２固定部分に回転可能に挿入される第２回転部分を一端に有する前記第２回転ハーフリングとを含み、さらに、
前記第３リングが、前記第２パイプの右端に溶接固定された第３固定部分を一端に有する前記第３静止ハーフリングと、前記第３固定部分と密着して回転する第３回転部分を一端に有する前記第３回転ハーフリングとを含むことを特徴とするリングバインダー。
【請求項３】
請求項２のリングバインダーであって、前記第１リングの第１固定部分及び前記第３リングの第３固定部分が
2009517244.tif 000017
形状の断面を有し、前記第１リングの第１回転部分及び前記第３リングの第３回転部分が
2009517244.tif 000018
形状の断面を有し、前記第２リングの第２固定部分が
2009517244.tif 000019
形状の断面を有し、さらに、前記第２リングの第２回転部分が
2009517244.tif 000020
形状の断面を有することを特徴とするリングバインダー。
【請求項４】
前記第２固定部分の厚さが前記第２静止ハーフリングよりも厚いことを特徴とする請求項３のリングバインダー。
【請求項５】
請求項１のリングバインダーであって、前記第１〜第３リングが、前記第１及び第２パイプに溶接固定された固定部分をそれらの一端にそれぞれ有する前記第１、第２及び第３静止ハーフリングと、前記固定部分にそれぞれ回転可能に挿入される回転部分をそれらの一端にそれぞれ有する前記第１、第２及び第３回転ハーフリングとを含み、さらに、
前記第１静止ハーフリングの他端が前記回転ハーフリングの他端と組み合い、かつ分離する（開閉する）ことを特徴とするリングバインダー。
【請求項６】
前記第１〜第３リングの固定部分が
2009517244.tif 000021
形状の断面を有し、前記第１〜第３リングの回転部分が
2009517244.tif 000022
形状の断面を有することを特徴とする請求項５のリングバインダー。
【請求項７】
前記固定部分の厚さが前記静止ハーフリングよりも厚いことを特徴とする請求項６のリングバインダー。
【請求項８】
請求項１のリングバインダーであって、前記支持棒が多角形形状の断面を有し、
前記第１リングには、多角形孔付き第１固定部分を有し、それを介して前記支持棒が通過するので、前記支持棒に対して回転しないようになっている前記第１静止ハーフリングと、前記第１固定部分と密着して回転する第１回転部分を一端に有する前記第１回転ハーフリングと、が含まれ、
前記第２リングには、多角形孔付き第２固定部分を有し、それを介して前記支持棒が通過するので、前記支持棒に対して回転しないようになっている前記第２静止ハーフリングと、前記第２固定部分と密着して回転する第２回転部分を一端に有する前記第２回転ハーフリングと、が含まれ、さらに、
前記第３リングには、多角形孔付き第３固定部分を有し、それを介して前記支持棒が通過するので、前記支持棒に対して回転しないようになっている前記第３静止ハーフリングと、前記第３固定部分と密着して回転する第３回転部分を一端に有する前記第３回転ハーフリングと、が含まれることを特徴とするリングバインダー。
【請求項９】
請求項２〜８の任意の一項のリングバインダーであって、前記支持棒が、その一端に設けられた、前記第１リングが前記第１パイプから分離することを防止するためのヘッドと、その他端に設けられた、前記第３リングが前記第２パイプから分離することを防止するためのナットと、を含み、前記第１リング及び前記第３リングが前記第１及び第２パイプから分離しないように、前記支持棒の他端を前記第３リングに直接溶接されるか、又は前記支持棒には、一端又は両端を押圧するためのリベット接合法が使用されていることを特徴とするリングバインダー。
【請求項１０】
請求項２〜７の任意の一項のリングバインダーであって、前記第１〜第３静止ハーフリングがそれらの端部に組み合わせ孔をそれぞれ含み、さらに、前記第１〜第３回転ハーフリングが、それらの端部で組み合わせ用突出部に挿入される組み合わせ孔をそれぞれ含むので、前記静止ハーフリングの端部が前記回転ハーフリングの端部とそれぞれ組み合い、かつ分離される（開閉）ようになっていることを特徴とするリングバインダー。
【発明の詳細な説明】
【技術分野】
【０００１】
本発明は文書や本を綴じるためのリングバインダーに関するものである。
【背景技術】
【０００２】
図１は文書を綴じるための従来型リングバインダーの分解斜視図である。図２は、図１に示したリングバインダーが組み付けられ、かつ２つのハーフリングが組み合った状態を示すものである。図３は、図２に示した２つのハーフリングが分離した状態を示すものである。
【０００３】
前記図面に示すように、前記従来のリングバインダーに含まれるのは、対称形式の複数の窪み１ａ及び１ｂを有し、所定カバーの中心に固定されたハウジングと、その側面が向かい合って互いに密着する一対のキャリアレール２及び３と、前記キャリアレール２及び３にてそれぞれ固定され、前記窪み１ａ及び１ｂを貫通するハーフリング４及び５と、である。図２によれば、前記キャリアレール２と３との間の接触部分を押し下げると、前記ハーフリング４及び５の端部は組み合う（閉じる）。図３によれば、前記キャリアレール２と３との間の接触部分を押し上げると、前記ハーフリング４及び５は互いに分離する（開く）。前記ハーフリング４及び５が互いに分離した状態で、前記ハーフリング４及び５は文書に形成された孔に挿入される。その後に前記ハーフリング４及び５が組み合う（閉じる）と、前記文書は前記リングバインダーによってバインドされる。
【０００４】
上記した従来のリングバインダーでは、一対のハーフリングを開閉するために一対の前記キャリアレール２及び３と、前記ハウジング１と、が必要とされる。前記キャリアレール又はハウジングのため、前記リングバインダーの全体サイズは増加する。その結果、バインドされた文書のサイズも不必要に増加してしまう。また、前記キャリアレール又は前記ハウジングは文書の外観を損ねる可能性もある。
【０００５】
さらに、前記キャリアレール２及び３又は前記ハウジング１のため、前記リングバインダーの価格も増加するので、前記リングバインダーを用いる文書、例えばカレンダー又はスケジューラの価格も増加してしまう。
【発明の開示】
【発明が解決しようとする課題】
【０００６】
本発明は、キャリアレール又はハウジングを使用せず、それによってサイズと価格を低減したリングバインダーを提供する。
【０００７】
また、本発明は、バインドされた文書を完全に反転することを可能とし、いかなるタイプの文書にも使用できるリングバインダーを提供する。
【０００８】
本発明の態様によれば、少なくとも２つの内部が空洞の第１及び第２パイプと、開閉自在に前記第１パイプの端部に位置決めされた第１リングと、開閉自在に前記第１パイプと前記第２パイプとの間に位置決めされた第２リングと、開閉自在に前記第２パイプの端部に位置決めされた第３リングと、さらに
前記第１及び第２パイプならびに前記第１〜第３リングを貫通し、前記第１及び第３リングが前記第１及び第２パイプから分離しないように前記第１及び第３リングを保持する支持棒と、を含むリングバインダーが提供されるものであって、前記第１、第２及び第３リングが、前記第１及び第２パイプのうちの少なくとも１つにそれぞれ固定された第１、第２及び第３静止ハーフリングと、前記第１及び第２パイプのうちの少なくとも１つの周りにそれぞれ回転可能な第１、第２及び第３回転ハーフリングと、を含み、かつ、前記第１、第２及び第３静止ハーフリングの端部が前記第１、第２及び第３回転ハーフリングの端部と組み合い、かつ分離する（開閉する）ことを特徴とするリングバインダーが提供される。
【０００９】
前記第１リングには、前記第１パイプの左端に溶接固定された第１固定部分を一端に有する前記第１静止ハーフリングと、前記第１固定部分と密着して回転する第１回転部分を一端に有する前記第１回転ハーフリングと、を含んでもよい。前記第２リングには、前記第１及び第２パイプのそれぞれの端部に溶接固定された第２固定部分を一端に有する前記第２静止ハーフリングと、前記第２固定部分に回転可能に挿入される第２回転部分を一端に有する前記第２回転ハーフリングを含んでもよい。前記第３リングには、前記第２パイプの右端に溶接固定された第３固定部分を一端に有する前記第３静止ハーフリングと、前記第３固定部分と密着して回転する第３回転部分を一端に有する前記第３回転ハーフリングと、を含んでもよい。前記第１リングの第１固定部分及び前記第３リングの第３固定部分は
2009517244.tif 000003
形状の断面を有してもよく、前記第１リングの第１回転部分及び前記第３リングの第３回転部分は
2009517244.tif 000004
形状の断面を有してもよく、前記第２リングの第２固定部分は
2009517244.tif 000005
形状の断面を有してもよく、さらに、前記第２リングの第２回転部分は
2009517244.tif 000006
形状の断面を有してもよい。また、前記第２固定部分の厚さを前記第２静止ハーフリングよりも厚くしてもよい。
【００１０】
前記第１〜第３リングには、前記第１及び第２パイプに溶接固定された固定部分をそれらの一端にそれぞれ有する前記第１、第２及び第３静止ハーフリングと、前記固定部分にそれぞれ回転可能に挿入される回転部分をそれらの一端にそれぞれ有する前記第１、第２及び第３回転ハーフリングと、をそれぞれ含んでもよい。前記第１静止ハーフリングの他端は、前記回転ハーフリングの他端と組み合い、かつ分離する（開閉する）こともできる。前記第１〜第３リングの固定部分は
2009517244.tif 000007
形状の断面を有してもよく、前記第１〜第３リングの回転部分は
2009517244.tif 000008
形状の断面を有してもよい。また、前記固定部分の厚さを前記静止ハーフリングよりも厚くしてもよい。
【００１１】
前記支持棒は多角形形状の断面を有してもよい。前記第１リングには、多角形孔付き第１固定部分を有し、それを介して前記支持棒が通過するので、前記支持棒に対して回転しないようになっている前記第１静止ハーフリングと、前記第１固定部分と密着して回転する第１回転部分を一端に有する前記第１回転ハーフリングと、を含んでもよい。前記第２リングには、多角形孔付き第２固定部分を有し、それを介して前記支持棒が通過するので、前記支持棒に対して回転しないようになっている前記第２静止ハーフリングと、前記第２固定部分と密着して回転する第２回転部分を一端に有する前記第２回転ハーフリングと、を含んでもよい。前記第３リングには、多角形孔付き第３固定部分を有し、それを介して前記支持棒が通過するので、前記支持棒に対して回転しないようになっている前記第３静止ハーフリングと、前記第３固定部分と密着して回転する第３回転部分を一端に有する前記第３回転ハーフリングと、を含んでもよい。
【００１２】
前記支持棒には、その一端に設けられた、前記第１リングが前記第１パイプから分離することを防止するためのヘッドと、その他端に設けられた、前記第３リングが前記第２パイプから分離することを防止するためのナットと、を含むこともでき、前記第１リング及び前記第３リングが前記第１及び第２パイプから分離しないように、前記支持棒の他端を前記第３リングに直接溶接してもよく、又は前記支持棒には、一端又は両端を押圧するためのリベット接合法を使用してもよい。
【００１３】
前記静止ハーフリングの端部が前記回転ハーフリングの端部とそれぞれ組み合い、かつ分離する（開閉する）ように、前記第１〜第３静止ハーフリングはそれらの端部に組み合わせ孔をそれぞれ含んでもよく、前記第１〜第３回転ハーフリングは、それらの端部に前記組み合わせ孔に挿入される組み合わせ用突出部をそれぞれ含んでもよい。
【発明を実施するための最良の形態】
【００１４】
以下に、本発明の実施形態を添付図面を参照して詳しく説明する。
【００１５】
図４は本発明の第１実施形態に係るリングバインダーの斜視図である。図５は図４に示したリングバインダーの分解斜視図である。図６は図４に示したリングバインダーのＶＩ-ＶＩ’断面図である。図７は図６に示した第２固定部分よりも厚さが厚い強化された第２固定部分を例示するものである。
【００１６】
本発明の第１実施形態に係るリングバインダーに含まれるのは、少なくとも２つの内部が空洞の第１及び第２パイプ（１０及び２０）と、開閉自在に前記第１パイプ１０の左に位置決めされた第１リング３０と、開閉自在に前記第１パイプ１０と前記第２パイプ２０との間に位置決めされた第２リング４０と、開閉自在に前記第２パイプ２０の右に位置決めされた第３リング５０と、前記第１及び第２パイプ（１０及び２０）ならびに前記第１〜第３リング（３０、４０及び５０）を貫通し、前記第１及び第３リング（３０及び５０）が前記第１及び第２パイプ（１０及び２０）から分離しないように前記第１及び第３リング（３０及び５０）を保持する支持棒６０と、である。
【００１７】
前記第１リング３０に含まれるのは、前記第１パイプ１０の左端部に溶接固定された第１固定部分３１ａを一端に有する第１静止ハーフリング３１と、前記第１固定部分３１ａと密着して回転する第１回転部分３３ａを一端に有する第１回転ハーフリング３３と、である。
【００１８】
前記第２リング４０に含まれるのは、前記第１及び第２パイプ（１０及び２０）のそれぞれの端部に溶接固定された第２固定部分４１ａを一端に有する第２静止ハーフリング４１と、前記第２固定部分４１ａに回転可能に挿入される第２回転部分４３ａを一端に有する第２回転ハーフリング４３と、である。
【００１９】
前記第３リング５０に含まれるのは、前記第２パイプ２０の左端部に溶接固定された第３固定部分５１ａを一端に有する第３静止ハーフリング５１と、前記第３固定部分５１ａと密着して回転する第３回転部分５３ａを一端に有する第３回転ハーフリング５３と、である。
【００２０】
前記第１及び第３リング（３０及び５０）では、前記第１及び第３固定部分（３１ａ及び５１ａ）は
2009517244.tif 000009
形状の断面を有し、前記第１及び第３回転部分（３３ａ及び５３ａ）は
2009517244.tif 000010
形状の断面を有する。
【００２１】
前記第２リング４０では、前記第２固定部分４１ａは
2009517244.tif 000011
形状の断面を有し、前記第２回転部分４３ａは
2009517244.tif 000012
形状の断面を有する。図７によれば、第２固定部分４１ａ’の厚さを第２静止ハーフリング４１’よりも厚くして前記第２固定部分４１ａ’の剛性を強化してもよい。
【００２２】
前記第１〜第３静止ハーフリング（３１、４１及び５１）の他端は前記第１〜第３回転ハーフリング（３３、４３及び５３）の他端とそれぞれ組み合い、かつ分離する（開閉する）ことができる。前記組み合いと分離のため、図１に示すようにフック（３２ａ、４２ａ、５２ａ、３２ｂ、４２ｂ及び５２ｂ）が前記第１〜第３静止ハーフリング（３１、４１及び５１）と前記第１〜第３回転ハーフリング（３３、４３及び５３）とのそれぞれの端部に形成される。別法として、前記静止ハーフリング（３１、４１及び５１）の端部が前記回転ハーフリングの端部（３３、４３及び５３）とそれぞれ組み合い、かつ分離する（開閉する）ように、組み合わせ孔（図示せず）を前記第１〜第３静止ハーフリング（３１、４１及び５１）の端部にそれぞれ形成する一方、前記組み合わせ孔に挿入される組み合わせ用突出部（図示せず）を前記第１〜第３回転ハーフリング（３３、４３及び５３）の端部に形成してもよい。
【００２３】
前記支持棒６０に含まれるのは、その一端に設けられた、前記第１リング３０が前記第１パイプ１０から分離することを防止するためのヘッド６１と、その他端に設けられた、前記第３リング５０が前記第２パイプ２０から分離することを防止するためのナット６２と、である。別法として、前記支持棒６０の他端を前記第３リング５０に直接溶接してもよい。さらなる別法として、前記第１リング３０及び前記第３リング５０が前記第１及び第２パイプ（１０及び２０）から分離しないように、前記支持棒６０には、一端又は両端を押圧するためのリベット接合法を使用してもよい。前記支持棒６０が前記第１及び第３リング（３０及び５０）をそのそれぞれの端部にて押圧するので、前記第１〜第３回転ハーフリング（３３、４３及び５３）の前記第１〜第３静止ハーフリング（３１、４１及び５１）とのそれぞれの接合は緩まず、それに対してよく回転しない。
【００２４】
前記第１〜第３リング（３０、４０及び５０）では、前記第１〜第３固定部分（３１ａ、４１ａ及び５１ａ）が前記第１及び第２パイプ（１０及び２０）に溶接固定されるので、前記第１〜第３静止ハーフリング（３１、４１及び５１）の相対位置は固定される。つまり、前記第１〜第３回転ハーフリング（３３、４３及び５３）が前記固定第１〜第３静止ハーフリング（３１、４１及び５１）の周りをそれぞれ回転するので、前記第１〜第３リング（３０、４０及び５０）は開閉される。
【００２５】
なお、前記第１及び第２パイプ（１０及び２０）及び前記第１〜第３リング（３０、４０及び５０）は鋼製又は強化プラスチック製であってもよく、優れた外観を実現するためにメタルコーティングを施してもよい。
【００２６】
本発明の第１実施形態では３つのリングが含まれているが、３つを超えるリングを含んでもよい。
【００２７】
以下、本発明の第２実施形態に係るリングバインダーを説明する。
【００２８】
図８は本発明の第２実施形態に係るリングバインダーの斜視図である。図９は図８に示したリングバインダーの分解斜視図である。図１０は図８に示したリングバインダーのＸ-Ｘ’断面図である。
【００２９】
前記本発明の第２実施形態に係るリングバインダーに含まれるのは、少なくとも２つの内部が空洞の第１及び第２パイプ（１１０及び１２０）と、開閉自在に第１リング１３０の左に位置決めされた前記第１パイプ１１０と、開閉自在に前記第１パイプ１１０と前記第２パイプ１２０との間に位置決めされた第２リング１４０と、開閉自在に前記第２パイプ１２０の右に位置決めされた第３リング１５０と、前記第１及び第２パイプ（１１０及び１２０）ならびに前記第１〜第３リング（１３０、１４０及び１５０）を貫通し、前記第１及び第３リング（１３０及び１５０）が前記第１及び第２パイプ（１１０及び１２０）から分離しないように前記第１及び第３リング（１３０及び１５０）を保持する支持棒１６０と、である。
【００３０】
前記第１〜第３リング（１３０、１４０及び１５０）には、前記第１及び第２パイプ（１１０及び１２０）に溶接固定された固定部分（１３１ａ、１４１ａ、及び１５１ａ）をそれらの一端にそれぞれ有する前記第１、第２及び第３静止ハーフリング（１３１、１４１及び１５１）と、前記固定部分（１３１ａ、１４１ａ、及び１５１ａ）にそれぞれ回転可能に挿入される回転部分（１３３ａ、１４３ａ及び１５３ａ）をそれらの一端にそれぞれ有する前記第１、第２及び第３回転ハーフリング（１３３、１４３及び１５３）と、が含まれる。
【００３１】
前記第１〜第３リング（１３０、１４０及び１５０）では、前記固定部分（１３１ａ、１４１ａ、及び１５１ａ）は
2009517244.tif 000013
形状の断面を有し、前記回転部分（１３３ａ、１４３ａ及び１５３ａ）は
2009517244.tif 000014
形状の断面を有する。図７に例示するように、固定部分の厚さを静止ハーフリングよりも厚くして前記固定部分の剛性を強化してもよい。
【００３２】
前記第１〜第３静止ハーフリング（１３１、１４１及び１５１）の他端は前記第１〜第３回転ハーフリング（１３３、１４３及び１５３）の他端とそれぞれ組み合い、かつ分離する（開閉する）ことができる。前記組み合いと分離のため、図５に示すようにフック（１３２ａ、１４２ａ、１５２ａ、１３２ｂ、１４２ｂ及び１５２ｂ）が前記第１〜第３静止ハーフリング（１３１、１４１及び１５１）と前記第１〜第３回転ハーフリング（１３３、１４３及び１５３）とのそれぞれの端部に形成される。
【００３３】
前記支持棒１６０に含まれるのは、その一端に設けられた、前記第１リング１３０が前記第１パイプ１１０から分離することを防止するためのヘッド１６１と、その他端に設けられた、前記第３リング１５０が前記第２パイプ１２０から分離することを防止するためのナット１６２と、である。別法として、前記支持棒１６０の他端を前記第３リング１５０に直接溶接してもよい。さらなる別法として、前記第１リング１３０及び前記第３リング１５０が前記第１及び第２パイプ（１１０及び１２０）から分離しないように、前記支持棒１６０には、一端又は両端を押圧するためのリベット接合法を使用してもよい。前記支持棒１６０が前記第１及び第３リング（１３０及び１５０）をそのそれぞれの端部にて押圧するので、前記第１〜第３回転ハーフリング（１３３、１４３及び１５３）の前記第１〜第３静止ハーフリング（１３１、１４１及び１５１）とのそれぞれの接合は緩まず、それに対してよく回転しない。さらに、前記固定部分（１３１ａ、１４１ａ、及び１５１ａ）は
2009517244.tif 000015
形状の断面を有し、前記回転部分（１３３ａ、１４３ａ及び１５３ａ）は
2009517244.tif 000016
形状の断面を有するので、前記第１〜第３回転ハーフリング（１３３、１４３及び１５３）の前記第１〜第３静止ハーフリング（１３１、１４１及び１５１）に対する回転はそれぞれ防止される。
【００３４】
ここで、図７に例示するように、固定部分の厚さを静止ハーフリングよりも厚くして前記固定部分の剛性を強化してもよい。
【００３５】
前記第１〜第３リング（１３０、１４０及び１５０）では、前記固定部分（１３１ａ、１４１ａ及び１５１ａ）が前記第１及び第２パイプ（１１０及び１２０）に溶接固定されるので、前記第１〜第３静止ハーフリング（１３１、１４１及び１５１）の相対位置は固定される。つまり、前記第１〜第３回転ハーフリング（１３３、１４３及び１５３）が前記固定第１〜第３静止ハーフリング（１３１、１４１及び１５１）の周りをそれぞれ回転するので、前記第１〜第３リング（１３０、１４０及び１５０）は開閉される。
【００３６】
なお、前記第１及び第２パイプ（１１０及び１２０）及び前記第１〜第３リング（１３０、１４０及び１５０）は鋼製又は強化プラスチック製であってもよく、優れた外観を実現するためにメタルコーティングを施してもよい。
【００３７】
本発明の第２実施形態では３つのリングが含まれているが、３つを超えるリングを含んでもよい。
【００３８】
以下、本発明の第３実施形態に係るリングバインダーを説明する。
【００３９】
図１１は本発明の第３実施形態に係るリングバインダーの斜視図である。図１２は図１１に示したリングバインダーの分解斜視図である。図１３は図１１に示したリングバインダーのＸＩＩＩ-ＸＩＩＩ’断面図である。
【００４０】
本発明の第３実施形態に係るリングバインダーに含まれるのは、少なくとも２つの内部が空洞の第１及び第２パイプ（２１０及び２２０）と、開閉自在に第１リング２３０の左に位置決めされた前記第１パイプ２１０と、開閉自在に前記第１パイプ２１０と前記第２パイプ２２０との間に位置決めされた第２リング２４０と、開閉自在に前記第２パイプ２２０の右に位置決めされた第３リング２５０と、前記第１及び第２パイプ（２１０及び２２０）ならびに前記第１〜第３リング（２３０、２４０及び２５０）を貫通し、前記第１及び第３リング（２３０及び２５０）が前記第１及び第２パイプ（２１０及び２２０）から分離しないように前記第１及び第３リング（２３０及び２５０）を保持する支持棒２６０と、である。
【００４１】
前記支持棒２６０は多角形形状の断面を有する。下記の説明では、前記支持棒２６０が正方断面を有することを前提とするが、前記支持棒２６０の断面は三角形、五角形、六角形などであってもよい。
【００４２】
前記第１リング２３０に含まれるのは、多角形孔２３１ｂ付き第１固定部分２３１ａを有し、それを介して前記支持棒２６０が通過するので、前記支持棒２６０に対して回転しないようになっている第１静止ハーフリング２３１と、前記第１固定部分２３１ａと密着して回転する第１回転部分２３３ａを一端に有する第１回転ハーフリング２３３と、である。円形孔２３３ｂは前記第１回転部分２３３ａに形成される。
【００４３】
前記第２リング２４０に含まれるのは、多角形孔２４１ｂ付き第２固定部分２４１ａを有し、それを介して前記支持棒２６０が通過するので、前記支持棒２６０に対して回転しないようになっている第２静止ハーフリング２４１と、前記第２固定部分２４１ａと密着して回転する第２回転部分２４３ａを一端に有する第１回転ハーフリング２４３と、である。円形孔２４３ｂは前記第２回転部分２４３ａに形成される。
【００４４】
前記第３リング２５０に含まれるのは、多角形孔２５１ｂ付き第３固定部分２５１ａを有し、それを介して前記支持棒２６０が通過するので、前記支持棒２６０に対して回転しないようになっている第３静止ハーフリング２５１と、前記第３固定部分２５１ａと密着して回転する第３回転部分２５３ａを一端に有する第３回転ハーフリング２５３と、である。円形孔２５３ｂは前記第３回転部分２５３ａに形成される。
【００４５】
前記支持棒２６０に含まれるのは、その一端に設けられた、前記第１リング２３０が前記第１パイプ２１０から分離することを防止するためのヘッド２６１と、その他端に設けられた、前記第３リング２５０が前記第２パイプ２２０から分離することを防止するためのナット２６２と、である。別法として、前記支持棒２６０の他端を前記第３リング２５０に直接溶接してもよい。さらなる別法として、前記第１リング２３０及び前記第３リング２５０が前記第１及び第２パイプ（２１０及び２２０）から分離しないように、前記支持棒２６０には、一端又は両端を押圧するためのリベット接合法を使用してもよい。
【００４６】
前記第１〜第３リング（２３０、２４０及び２５０）では、前記多角形孔（２３１ｂ、２４１ｂ及び２５１ｂ）は前記第１〜第３固定部分（２３１ａ、２４１ａ及び２５１ａ）の中心にそれぞれ形成され、前記円形孔（２３３ｂ、２４３ｂ及び２５３ｂ）は前記第１〜第３回転部分（２３３ａ、２４３ａ及び２５３ａ）の中心にそれぞれ形成される。多角形形状の断面を有する前記支持棒２６０は前記多角形孔（２３１ｂ、２４１ｂ及び２５１ｂ）と前記円形孔（２３３ｂ、２４３ｂ及び２５３ｂ）とを貫通するので、前記第１〜第３静止ハーフリング（２３１、２４１及び２５１）は前記支持棒２６０に対して固定されるが、前記第１〜第３回転ハーフリング（２３３、２４３及び２５３）はそれに対して回転可能である。よって、前記第１〜第３回転ハーフリング（２３３、２４３及び２５３）が前記固定第１〜第３静止ハーフリング（２３１、２４１及び２５１）に対してそれぞれ回転されるので、前記第１〜第３リング（２３０、２４０及び２５０）は開閉される。
【００４７】
なお、前記第１及び第２パイプ（２１０及び２２０）及び前記第１〜第３リング（２３０、２４０及び２５０）は鋼製又は強化プラスチック製であってもよく、優れた外観を実現するためにメタルコーティングを施してもよい。
【００４８】
本発明の第３実施形態では３つのリングが含まれているが、３つを超えるリングを含んでもよい。
【産業上の利用可能性】
【００４９】
本発明によれば、リングバインダーはキャリアレール又はハウジングを含まないので、前記リングバインダーのサイズと価格を低減することができる。さらに、前記リングバインダーにより、バインドされた文書を完全に反転することが可能となり、それによって有用性が高められる。本発明に係るリングバインダーはいかなるタイプの文書にも広範に利用可能である。
【図面の簡単な説明】
【００５０】
【図１】図１は従来のリングバインダーの分解斜視図である。
【図２】図２は、図１に示したリングバインダーが組み付けられ、かつ２つのハーフリングが組み合った状態を示すものである。
【図３】図３は、図２に示した２つのハーフリングが分離した状態を示すものである。
【図４】図４は本発明の第１実施形態に係るリングバインダーの斜視図である。
【図５】図５は図４に示したリングバインダーの分解斜視図である。
【図６】図６は図４に示したリングバインダーのＶＩ-ＶＩ’断面図である。
【図７】図７は図６に示した第２固定部分よりも厚さが厚い強化された第２固定部分を例示するものである。
【図８】図８は本発明の第２実施形態に係るリングバインダーの斜視図である。
【図９】図９は図８に示したリングバインダーの分解斜視図である。
【図１０】図１０は図８に示したリングバインダーのＸ-Ｘ’断面図である。
【図１１】図１１は本発明の第３実施形態に係るリングバインダーの斜視図である。
【図１２】図１２は図１１に示したリングバインダーの分解斜視図である。
【図１３】図１３は図１１に示したリングバインダーのＸＩＩＩ-ＸＩＩＩ’断面図である。
【図１】
2009517244.tif 000023
【図２】
2009517244.tif 000024
【図３】
2009517244.tif 000025
【図４】
2009517244.tif 000026
【図５】
2009517244.tif 000027
【図６】
2009517244.tif 000028
【図７】
2009517244.tif 000029
【図８】
2009517244.tif 000030
【図９】
2009517244.tif 000031
【図１０】
2009517244.tif 000032
【図１１】
2009517244.tif 000033
【図１２】
2009517244.tif 000034
【図１３】
2009517244.tif 000035
【国際調査報告】
2009517244.tif 000036
2009517244.tif 000037